(57)【要約】      （修正有）【課題】簡易型足踏み練習機の構造の提供。【解決手段】床に横置きするスタンドの前部ポール両側は外部に広げて、後側に平行して左右一組のペダルフレームを設け、ペダルをそれぞれ設ける。ポールの中央部は後側に延ばして取付台を設け、固定台の末端部とスタンドとの間に、摩擦輪を旋接する。摩擦輪はさらに牽引プレートを取り付け、牽引プレートの両側に長さ調節可能な連稈を旋接棒に取り付ける連動プレートに連結する。さらに調節棒を設け、調節棒の前部端面に摩擦塊を設け、調節棒を回すことにより、摩擦輪と摩擦塊との密着度を調節し、両者の摩擦度合いを調節する。利用者の足をペダルに乗せて、下肢の踏み運動により、左右を順番に力を入れてペダルを踏み込む。足の踏み力量により、ペダルフレームは下方へ移動し、旋接棒を連動して回転する。【選択図】図４
0003128344.tif 000002
【実用新案登録請求の範囲】
【請求項１】
一種の簡易型足踏み練習機の構造において、スタンド、ペダルフレーム、連稈、摩擦輪及び調節棒などの構成要素により組み合わせて構成し、そのうち、該スタンドは床に横置きする安定用のスタンド部材を設け、該スタンドの前部ポール両側は、後側に平行して左右一組のペダルフレームを設け、該ペダルフレームにペダルをそれぞれ設け、ポールの中央部は後側に延ばして取付台を設け、固定台の末端部とスタンドとの間に、摩擦輪を旋接し、該摩擦輪はさらに牽引プレートを取り付け、該牽引プレートの両側に長さ調節可能な連稈を旋接棒に取り付ける連動プレートに連結し、該スタンドの末端部はさらに調節棒を設け、調節棒の前部端面に摩擦塊を設け、調節棒を回すことにより、摩擦輪と摩擦塊との密着度を調節し、両者の摩擦度合いを調節できることを特徴とする簡易型足踏み練習機の構造。
【請求項２】
請求項１記載の簡易型足踏み練習機の構造において、該連稈は移動式スクリューを設け、連稈の長さを改変できることを特徴とする簡易型足踏み練習機の構造。
【考案の詳細な説明】
【技術分野】
【０００１】
本考案は一種の簡易型足踏み練習機の構造に関わるものである。主に従来の足踏み練習機の生産コスト高の欠点に対して、改良設計を考案した。主に床に横置きするスタンドの前部ポール両側は外部に広げて、後側に平行して左右一組のペダルフレームを設け、該ペダルフレームにペダルをそれぞれ設ける。ポールの中央部は後側に延ばして取付台を設け、固定台の末端部とスタンドとの間に、摩擦輪を旋接する。該摩擦輪はさらに牽引プレートを取り付け、該牽引プレートの両側に長さ調節可能な連稈を旋接棒に取り付ける連動プレートに連結する。該スタンドの末端部はさらに調節棒を設け、調節棒の前部端面に摩擦塊を設け、調節棒を回すことにより、摩擦輪と摩擦塊との密着度を調節し、両者の摩擦度合いを調節する。利用者の足をペダルに乗せて、下肢の踏み運動により、左右を順番に力を入れてペダルを踏み込む。足の踏み力量により、ペダルフレームは下方へ移動し、旋接棒を連動して回転する。旋接棒の連動プレートは前方に移動して、連稈は牽引プレートと摩擦輪を連動して回転する。一方、自由状態のもう一つのペダルフレームは、牽引プレートの回転移動により、連稈は旋接棒を連動させ、反対方向に移動して、ペダルフレームを上方に上がり、左右側の昇降踏み力量の運動効果を図る。その上、調節棒を回して摩擦輪の摩擦度合い調節により、油圧棒は不要であり、生産コストの軽減を図る経済的、かつ、実用的の考案を実現できる。
【背景技術】
【０００２】
人々は体の健康について、ますます重要視のほか、生活レベルも絶えずに向上する一方、食事の不均衡な摂取がため、スポーツ器具の使用範囲がますます広くなる。しかしながら、現在市販中の足踏み練習機のほとんどは油圧棒を使用している。生産コスト高のほか、故障しやすい、生産速度も遅いのである。よってさらに設計改良の工夫が求められている。
【考案の開示】
【考案が解決しようとする課題】
【０００３】
本考案の主な目的は一種の簡易型足踏み練習機の構造を提供する。床に横置きするスタンドの前部ポール両側は外部に広げて、後側に平行して左右一組のペダルフレームを設け、該ペダルフレームにペダルをそれぞれ設ける。ポールの中央部は後側に延ばして取付台を設け、固定台の末端部とスタンドとの間に、摩擦輪を旋接する。該摩擦輪はさらに牽引プレートを取り付け、該牽引プレートの両側に長さ調節可能な連稈を旋接棒に取り付ける連動プレートに連結する。該スタンドの末端部はさらに調節棒を設け、調節棒の前部端面に摩擦塊を設け、調節棒を回すことにより、摩擦輪と摩擦塊との密着度を調節し、両者の摩擦度合いを調節する。利用者の足をペダルに乗せて、下肢の踏み運動により、左右を順番に力を入れてペダルを踏み込む。足の踏み力量により、ペダルフレームは下方へ移動し、旋接棒を連動して回転する。旋接棒の連動プレートは前方に移動して、連稈は牽引プレートと摩擦輪を連動して回転する。一方、自由状態のもう一つのペダルフレームは、牽引プレートの回転移動により、連稈は旋接棒を連動させ、反対方向に移動して、ペダルフレームを上方に上がり、左右側の昇降踏み力量の運動効果を図る。その上、調節棒を回して摩擦輪の摩擦度合い調節により、油圧棒は不要であり、生産コストの軽減を図る経済的、かつ、実用的の考案を実現できる。
【０００４】
本考案の次の目的は一種の簡易型足踏み練習機の構造を提供する。牽引プレートの両側に備える長さ調節可能な調節棒は、旋接棒に取り付けた連動プレートに連結し、連稈の長さを改変することにより、ペダルの高さを調節して、ペダルの上下振れ幅を改変し、踏み距離を変化して、それぞれの利用者または訓練目的に合わせる。
【課題を解決するための手段】
【０００５】
請求項１の考案は、一種の簡易型足踏み練習機の構造において、スタンド、ペダルフレーム、連稈、摩擦輪及び調節棒などの構成要素により組み合わせて構成する。そのうち、該スタンドは床に横置きする安定用のスタンド部材を設け、該スタンドの前部ポール両側は、後側に平行して左右一組のペダルフレームを設け、該ペダルフレームにペダルをそれぞれ設ける、ポールの中央部は後側に延ばして取付台を設け、固定台の末端部とスタンドとの間に、摩擦輪を旋接する、該摩擦輪はさらに牽引プレートを取り付け、該牽引プレートの両側に長さ調節可能な連稈を旋接棒に取り付ける連動プレートに連結する、該スタンドの末端部はさらに調節棒を設け、調節棒の前部端面に摩擦塊を設け、調節棒を回すことにより、摩擦輪と摩擦塊との密着度を調節し、両者の摩擦度合いを調節できることを特徴とする簡易型足踏み練習機の構造としている。
請求項２の考案は、請求項１記載の簡易型足踏み練習機の構造において、該連稈は移動式スクリューを設け、連稈の長さを改変できることを特徴とする簡易型足踏み練習機の構造としている。
【考案の効果】
【０００６】
本考案は生産コストの軽減及び生産速度を向上する。
【考案を実施するための最良の形態】
【０００７】
図１〜図５を参照しながら説明する。本考案は主にスタンド１、ペダルフレーム２、連稈３、摩擦輪４及び調節棒５より構成する。そのうち、スタンド１は床に横置きする安定用のスタンド部材である。その前面にポール１０を突き出して設け、両側は旋接棒２１により、後側に平行して左右一組のペダルフレーム２を取り付ける。該ペダルフレーム２にペダル２０をそれぞれ設ける。ポール１０の中間部は後部に延ばした取付台１１を設け、取付台１１の末端部とスタンド１との間に摩擦輪４を旋接する。摩擦輪４はさらに牽引プレート４１を取り付ける。該牽引プレート４１の両側は連稈３により、旋接棒８１に取り付けた連動プレート２２に連結する。さらに、スタンド１の後部に調節棒５を設け、調節棒５の前部端面に摩擦塊５０を設ける。調節棒５を回して、摩擦輪４と摩擦塊５０との密着度を調節することにより、両者間の摩擦度合いを調節する。必要に応じて、連稈３は移動式スクリュー３０の調節機構を設け、連稈３の長さを変更できる。
【０００８】
使用のとき、利用者は本考案のスタンド１を床に横置きした上、利用者の踏み距離に従い、移動式スクリュー３０を調節し、連稈３の締め付け長さを改変し、ペダル２０の高さを調節し、上下振れ幅を形成する。さらに、調節棒５を回して、摩擦輪４と摩擦塊５０との密着度を調節することにより、摩擦輪４の摩擦受け力の強さを調節して、様々な訓練目的に合わせる。利用者の足をペダル２０に乗せて、左右を順番に交互に下方へペダル２０を踏んで足踏み運動する。力を入れた足は、ペダルフレーム２を下方へ旋接棒２１を回して移動する。旋接棒２１の連動プレート２２の前方への移動は、連稈３を牽引して牽引プレート４１と摩擦輪４を回転移動させる。受力していないもう一つのペダルフレーム２は、牽引プレート４１の買い手に動により、向かい側の連稈３は旋接棒２１を連動して、反対方向に移動して、ペダルフレーム２を上方に連動する。これにより、左右を順番に昇降し足踏み力量を鍛える運動効果がある。本考案全体の構造が簡単のほか、油圧棒は不要であり、生産コストの軽減及び生産速度を向上する効果がある。
【図面の簡単な説明】
【０００９】
【図１】本考案の好ましい実施例による立体分解図である。
【図２】本考案の好ましい実施例による側面図である。
【図３】本考案の好ましい実施例による後視図である。
【図４】本考案の好ましい実施例による立体図である。
【図５】本考案のもう一つの好ましい実施例による立体図である。
【符号の説明】
【００１０】
１  スタンド
２  ペダルフレーム
３  連稈
４  摩擦輪
５  調節棒
１０  ポール
１１  取付台
２０  ペダル
３０  移動式スクリュー
４１  牽引プレート
２１  旋接棒
５０  摩擦塊
【図１】
0003128344.tif 000003
【図２】
0003128344.tif 000004
【図３】
0003128344.tif 000005
【図４】
0003128344.tif 000006
【図５】
0003128344.tif 000007